(57)【要約】【課題】撮影時の視認性を向上させた画像が表示されるカメラ、その表示制御方法及びプログラムを提供する。【解決手段】(Ａ)は、撮影時にモニタ表示される被写体画像自体の波長分布である。モニタ画像の視認性は外光の影響を大きく受ける。太陽光の波長分布はほほフラットなので（Ｂ）、太陽光が表示部に直接入射すると、表示される画像の輝度が全体に上がって、白っぽい画面になる（Ｃ）。この場合、被写体の視認性が低下する。逆に、太陽がカメラ正面にあって、太陽光が直接画面に入射しないときには、ユーザーの目には画面が全体的に暗く感じられ、やはり被写体の視認性は低下する（Ｄ）。そこで、カメラの表示部にセンサを備えて外光の量を検出して、外光が大きいときは、主被写体の支配的な色成分である例えば赤が強調表示されるように表示部を制御する（Ｅ）。【選択図】図３
2007324888.tif 000002
【特許請求の範囲】
【請求項１】
被写体像を撮影する撮像素子と、
撮影された画像を表示する表示部と、
撮影された画像の表示部への表示を制御する表示制御部と、
表示部に入射する外光を判定する外光判定部と、
撮影された画像の色を判定する画像判定部とを備え、
上記表示制御部は、外光判定部による判定結果及び画像判定部の判定結果に従って、表示する画像の信号の色成分が補正されるよう制御する
ことを特徴とするカメラ。
【請求項２】
被写体像を撮像する撮像素子と撮影に先立って、上記撮像素子からリアルタイムに出力される信号または、上記撮像素子からの信号を記録した結果を再生した信号を、画像として表示する表示部を有するカメラにおいて、
上記表示部に表示する画像の色の強調処理を、上記リアルタイム信号と再生信号とで異ならせる表示制御手段を備える
ことを特徴とするカメラ。
【請求項３】
画像を表示する表示部と、
表示部へ表示される撮影時のモニタ画像の表示を制御する表示制御部と、
表示部に入射する外光を判定する外光判定部と、
モニタ画像に表された被写体のうち主要な部分を主要被写体とし、この主要被写体の色である主被写体色を判定する画像判定部とを備え、
上記表示制御部は、外光判定部による判定結果に従って、モニタ画像の主被写体色が強調表示されるよう制御する
ことを特徴とするカメラ。
【請求項４】
上記表示制御部は、主被写体色のうちの赤または青を強調するよう制御する
ことを特徴とする請求項３に記載のカメラ。
【請求項５】
表示部へ表示される撮影時のモニタ画像の表示を制御する表示制御方法において、
表示部に入射する外光を判定し、
モニタ画像に表された被写体のうち主要な部分を主要被写体とし、この主要被写体の色である主被写体色を判定し、
外光判定の結果に従って、モニタ画像の主被写体色が強調表示されるよう制御する
ことを特徴とする表示制御方法。
【請求項６】
表示部へ表示される撮影時のモニタ画像の表示を制御する表示制御方法をコンピュータに実行させるプログラムにおいて、
上記表示制御方法は、表示部に入射する外光を判定し、
モニタ画像に表された被写体のうち主要な部分を主要被写体とし、この主要被写体の色である主被写体色を判定し、
外光判定の結果に従って、モニタ画像の主被写体色が強調表示されるよう制御する
ことを特徴とするプログラム。
【発明の詳細な説明】
【技術分野】
【０００１】
この発明は、背面にモニタ用の表示部を備えるデジタルカメラに関する。
【背景技術】
【０００２】
デジタルカメラには撮影時の画角確認や画像再生にためにLCD等の表示装置が内蔵されている。この表示装置は、最近の液晶などフラットパネルディスプレイ技術の急速な画質向上の流れの中にあって、ますます色再現性や画素数も向上している。そして、カメラへのレイアウトも工夫されて、大きなサイズのパネルが搭載される方向にもある。このように表示装置のサイズや画質が鑑賞用の再生手段としても十分実用的なレベルになってきているので、撮影時に果たす表示装置の役割も大きい。
一方、表示装置は光学式のファインダーに比べて、屋外では視認性が劣化するという課題はよく知られている。解決策のひとつとして、周囲の明るさに応じてバックライトの輝度を調整するアイデアがある。具体的な提案として、周囲の明るさをストロボ調光センサやリモコン受光部により検出するカメラに関する提案もある（特許文献１）。
【０００３】
さらに屋外での視認性向上を目的として、外光の色成分を検出して外光色に基づいて表示部への出力信号レベルを調整するカメラも提案されている（特許文献２）。
【特許文献１】特開２００４−２３６２４７号
【特許文献２】特開２００１−２６８４０５号
【発明の開示】
【発明が解決しようとする課題】
【０００４】
上記特許文献１では、回りの明るさを判別して、バックライトの光量を調節して視認性を向上させるようにしているが、いたずらにバックライトにエネルギーを注入しても電池が短期に消耗してしまい、視認性を向上させる目的としては、必ずしも効果的な対策とは言えない。
また上記特許文献２では、外光の色成分に応じて表示信号の色レベルを調整する方法が提案されているが、これは、外光の影響によって、表示される色が本来の色からずれてしまうことを防止して、正確な色再現の実現を目的としたものである。しかし、フラットな分光特性の太陽光下では、表示される画像の全体が白っぽくなって見づらくなり、この場面に上記技術を適用しても視認性の向上は期待できない。屋外特に昼光下でも、正しく被写体の位置確認を行うことが出来、よりよいフレーミングのできるようなモニタ画像表示がなされるカメラが望まれる。
本発明は、上記課題に鑑み、撮影時の視認性を向上させた画像が表示されるカメラ、その表示制御方法及びプログラムを提供するものである。
【課題を解決するための手段】
【０００５】
上記目的を達成するために、この発明の第１のカメラは、被写体像を撮影する撮像素子と、撮影された画像を表示する表示部と、撮影された画像の表示部への表示を制御する表示制御部と、表示部に入射する外光を判定する外光判定部と、撮影された画像の色を判定する画像判定部とを備え、上記表示制御部は、外光判定部による判定結果及び画像判定部の判定結果に従って、表示する画像の信号の色成分が補正されるよう制御するものである。
また、第２の発明によるカメラは、画像を表示する表示部と、表示部へ表示される撮影時のモニタ画像の表示を制御する表示制御部と、表示部に入射する外光を判定する外光判定部と、モニタ画像に表された被写体のうち主要な部分を主要被写体とし、この主被写体の色である主被写体色を判定する画像判定部とを備え、上記表示制御部は、外光判定部による判定結果に従って、モニタ画像の主被写体色が強調表示されるよう制御するものである。
【０００６】
また、第３の発明による表示制御方法は、表示部へ表示される撮影時のモニタ画像の表示を制御する表示制御方法において、モニタ画像に表された被写体のうち主要な部分を主要被写体とし、この主要被写体の色である主被写体色を判定し、外光判定の結果に従って、モニタ画像の主被写体色が強調表示されるよう制御するものである。
【発明の効果】
【０００７】
本発明によれば、撮影時の視認性を向上させた画像が表示されるカメラ、その表示制御方法及びプログラムを提供可能となる。
【発明を実施するための最良の形態】
【０００８】
以下本発明を実施するための最良の形態を図面を参照して説明する。図１は、本発明が適用されるカメラ１の全体ブロック図である。カメラ１にはレンズ部２、撮像素子３、アナログフロントエンド（以下、ＡＦＥと略す）部４、画像処理部５、圧縮伸長部６、記録制御部７及び記録メディア８が設けられる。レンズ部２は、入射した被写体２５の像を撮像素子３に結像する。撮像素子３は、ＣＭＯＳやＣＣＤからなり、結像された被写体像を画像信号に変換する。
【０００９】
ＡＦＥ部４は、撮像素子３から出力されるアナログの画像信号をデジタルの画像データに変換して出力する。また、ＡＦＥ部４には、切り出し部（不図示）が設けられる。切り出し部は、撮像素子３の全画素から一部の画素を間引いて抽出する。これにより、所定の領域のみの画像を全画像として表示なり記録すれば、あたかもその部分が拡大されていくような効果、つまり望遠側へのズーミングの効果をもたらすことが出来る。この状態から画像取り出し範囲を広げていくと、ワイドな画面となっていくため、反対の方向にズーミングしていくような効果が得られる。これが、一般的に「電子ズーム」とか「デジタルズーム」とか呼ばれる方法である。
【００１０】
画像処理部５は、ＡＦＥ部４から出力された画像データについて、色、階調やシャープネスを補正処理する。また、画像処理部５には、画像を表示用の画素サイズに変更するリサイズ部５ａが設けられる。リサイズ部５ａが、撮像素子３で取得された画像を表示部１４の表示に適したサイズに加工する。表示部の画素数が撮像素子の画素に比べて少ないからである。圧縮伸長部６は、撮影時には画像処理部５から出力された画像データを圧縮し、再生時には圧縮記録された画像データを伸長する。圧縮伸長部６内には、ＪＰＥＧ（Joint Photographic Coding Experts Group）コア部など静止画圧縮伸長部６ａ、及びＭＰＥＧ（Motion Picture Experts Group）４やＨ．２６４などの圧縮用コア部で構成される動画圧縮伸長部６ｂが設けられる。
【００１１】
記録再生制御部７は、撮影時には圧縮伸長部６により圧縮処理された画像データを記録媒体である記録メディア８に記録する。また、記録再生制御部７は再生時には記録メディア８から画像データを読み出す。また、動画撮影時には、あわせて音声データも記録する。
【００１２】
また、カメラ１には表示制御部１３、表示部１４、フォトディテクタ１６、外光判定部１７及び画像判定部１８が設けられる。表示制御部１３は、表示用にリサイズされた画像データを表示するよう、表示部１４を制御する。表示部１４は、例えば液晶や有機ＥＬ等から構成され、撮影時にはモニタ画像を表示し、再生時には伸張処理された記録画像を表示する。表示部１４が、有機ＥＬのように自発光式のものでなく液晶タイプの場合には、バックライト（ＢＬと称す）部１５を有する。また、バックライト部１５は表示制御部１３により明るさが制御される。また表示制御部１３は、後述するように所定の条件で、表示される画像が色強調表示されるような制御を行う。
【００１３】
フォトディテクタ（ＰＤとも称す）１６は、表示部１４に照射される自然光や人工照明光（外光）による光を検出する。近年は液晶ユニット内にトランジスタやダイオードなどの素子を配置することも技術的に可能なので、フォトディテクタ１６も表示部１４の表面に実装されていてもよい。外光判定部１７は、フォトディテクタ１６で検出された外光量が所定値より大きいかを判定してその情報を表示制御部１３に提供する。画像判定部１８は、画像処理部５から出力されるモニタ画像を分析して画面の主被写体を判定し、主被写体の色を検出して、その情報を表示制御部１３に提供する。画像判定部１８は、画面内の輪郭検出やピント位置情報等により、主被写体の検出を行う。
【００１４】
そして、表示制御部１３は外光判定部１７と画像判定部１８からの上記情報に基づいて、モニタ画像の主被写体の色を強調補正する。この際に、表示制御部１３は撮像素子３で得られた画像データの輝度も参照する。主被写体の色を強調補正させる際に、特定の色成分を強調するだけでなく、さらに他の色成分を低下させるようにして、色再現性を犠牲にして視認性を向上させてもよい。詳細は、後述する。
【００１５】
なお、色強調補正は、画像処理部５がモニタ画像の作成時に同時に行うようにしてもよい。つまり、画像処理部５は、撮像素子３から得られた画像をリサイズし表示用のガンマ補正やコントラスト修正も行いモニタ用画像を作成するので、外光判定部１７と画像判定部１８の結果に応じて、その際に主被写体の色を強調補正するようにしてもよい。
【００１６】
撮影時には、リサイズ部５ａによって加工された画像が、表示制御部１３で必要に応じて色補正制御されて、表示部１４に表示される。ユーザーはこの画像を見ながら、撮影時に構図やタイミングを決めて撮影の操作を行う。また、電子ズーム時には、その選択範囲の良好な画像をパネル前面に表示しながら、あたかも光学的なズーミングが行われたのと同様の効果を、画面いっぱいに体感しながら撮影することも出来る。また、再生時には、記録メディア８に記録された圧縮データが記録再生制御部７により読み出され、画像処理部５によって再生され、リサイズされて表示部１４に表示される。表示制御部１３は、再生時には、主被写体の色補正を行わない。
【００１７】
また、カメラ１には、ＭＰＵ１０、ＲＯＭ１１、操作部１２が設けられる。ＭＰＵ（マイクロコントローラ）１０は、プログラムに従って撮影や再生等カメラ１の全体の制御を司る制御部である。ＲＯＭ１１は、不揮発性でかつ記録可能なメモリで例えばフラッシュＲＯＭからなり、カメラ１の制御処理を行う制御用のプログラムが格納される。操作部１２は、複数のスイッチを含み、撮影者の指示をＭＰＵ１０に通知する。操作部１２の１例としてスイッチ１２ａ、１２ｂ、１２ｃが設けられる。スイッチ１２aはレリーズスイッチである。１２ｂや１２ｃは、例えば撮影／再生モード切替や撮影モードの切替などのスイッチである。ＭＰＵ１０は、撮影や表示などのユーザーの指示をスイッチ１２ａ、１２ｂ、１２ｃにより検出する。
【００１８】
また、カメラ１には、音声記録部１８及びズーム制御部１９が設けられる。音声記録部１８は、マイクや音声処理部を有し、音声を取得して動画または静止画とともに記録メディア８に記録する。ズーム制御部は、ユーザーの操作指示に応じてＭＰＵ１０に制御されて、レンズ２を駆動して所定の倍率に設定する。
【００１９】
図２は、屋外撮影時に、表示部１４に表示されるモニタ画像に対して、太陽光が与える影響を説明するための図である。被写体像２５がカメラ１の背面に設けられた表示部１４にモニタ画像として表示される。画面には一般に主被写体が存在し、ここでは人物が主被写体２５ａである。表示部１４がＬＣＤの場合にはバックライト１５、表示部１４がＥＬ等である場合にはその自発光の光量いずれも、太陽２６の光量に比べれば相当に小さい。そのため、ユーザー２２の目にとって、表示部１４の被写体の視認性は室内環境に比べて低下する。
【００２０】
つまり、図２のように太陽２６がカメラ前面側に位置するような場合には、光が外光２６ａとして撮影者の目に入り、表示部１４の画像が相対的に暗く感じられて、視認性が低下する。一方、太陽２６がカメラ背面側に位置するような場合には、光が外光２６ｂとして表示部１４の画面に直接入り、画面全体が白っぽくなり、やはり視認性が低下する。また、あたりに散乱した光が表示部１４の表示面に当たるので、表示部１４に再現されている色調に、この環境光（太陽光）が混色して色再現が狂ってしまうこともある。
【００２１】
このような状態で、特にユーザーが被写体を色で判別していると、とっさに、どこに狙ったものがいるのか分からなくなってしまうことがある。本発明では、こうした状況に対して、ユーザーが狙っているものを分かりやすく表示して、フレーミングをより迅速にできるようにする。
【００２２】
図３は、画像や太陽光の波長分布（分光特性）を模式的に示すグラフである。いずれも、横軸が波長で、右が長波長、左が短波長方向である。縦軸はその強度である。図３（Ａ）は、現在の表示部１４に表示される主被写体の波長分布とする。説明を簡単にするために、主被写体の重要部位（例えば、人物の服など）の色を、Ｒ（赤）Ｇ（緑）Ｂ（青）の三色の光に波長別に分解して、色別に３つのカーブで示す。ここでは、主被写体（図２の２５ａ）の重要部位でＲの成分が強く、赤い被写体とユーザーに認識されるとする。
【００２３】
次に、図３（Ｂ）は、表示部１４に入射する太陽光２５の波長分布である。太陽光２５の波長分布は、波長全体に渡ってフラットな分布とする。図３（Ｃ）は、背中側から太陽光２１を受けた時に、表示部１４に表示される画像の波長分布を示す。つまり、カメラ１の背面の表示部１４の画面に、太陽光２６が図２の外光２６ｂのように直接的に入射するような状態である。表示部１４に図３（Ｂ）のような波長分布を持つ太陽光が散乱して照射されると、太陽光が重畳して各波長成分が全体的に押し上げられ、色の特徴がなくなる方向になる。ユーザーによる被写体の視認性が低下する。
【００２４】
図３（Ｄ）も、太陽光２１に影響された状態での表示部１４の表示画像の波長分布を示す。ここでは、図２の外光２６ａのようにカメラ１の正面から太陽光２１が入射するような時である。カメラ１以外の部分は明るく、表示部１４は限られた光量しか入射しないが、ユーザーにとっては相対的に表示が暗くなったように感じられる。つまり、暗い上に、色の差異も分かりにくい画像となり、いわば、暗い白黒画像のようになってしまう。あるいは、波長が平均化された再生画像となり、可視の短波長側の青や、長波長側の赤の特徴がなくなる傾向となる。どちらかと言えば、可視波長の中心域の緑色が勝った色再現となってしまう。いずれにしてもこの場合も、ユーザーによる被写体の視認性が低下する。
【００２５】
図３（Ｅ）が、本願発明により、強調補正されて表示される画像の波長分布を示す図である。表示制御部１３が、主被写体の特徴色である赤の色を強調補正するもので、以下簡単に動作を説明する。外光判定部１７により、外光が所定以上量であることが判定される。あわせて、画像判定部１８により、モニタ画像が分析され主被写体の位置から主被写体の色が判定される。ここでは、赤と判定される。そして表示制御部１３が、２つの判定結果を受けて、入力されたリサイズ後の画像データについて、同図（Ｅ）の分布で示すように、主被写体２５ａの赤の部分を強調するよう表示部１４を制御する。強調補正されたモニタ画像が表示部１４に表示される。主被写体の色が強調されて表示されるので、太陽光下でも、ユーザーは被写体の位置や動きの把握が容易にできるようになる。
【００２６】
図４は、撮影と再生の姿勢の違いを説明する図である。上記強調補正は、撮影時に限って行い、再生時には行わないようにするが、図４はそれを説明するための図である。図４（Ａ）は、撮影時の姿勢で、特に上記の色調強調補正の効果が発揮されるシーンである。背面に表示部１４が設けられているので、ユーザーは、時として図４（Ａ）のように、人の頭越しなどで、高いところにカメラを構えて表示部１４を見ながら撮影する場合もある。
【００２７】
しかし、表示部１４を角度θで見上げて観察するような場合には、液晶などでは視野角の関係でユーザーに届く光量が減衰してしまう。さらに、明るい空の光により逆光状態になりがちなので、図２の場合よりいっそう画像が見にくくなってしまう。そこで、上記図３（Ｅ）のように特定の色成分を強調して表示させることにより的確に被写体を捕らえることができるようになる。さらに、従来このような太陽光下で電子ズームを使用すると、より被写体を見失う可能性が高くなってしまっていたが、色強調表示により、これを防止することができる。電子ズームを使って遠くにある被写体などでも迫力ある画面で確認しながら撮影を行うことが出来る。
【００２８】
一方再生時には、つまり撮影画像を鑑賞する場合などは、カメラ１の保持やパネルと目の角度に自由度があり、図４（Ｂ）のように日陰で、まっすぐパネルを見ればよく、撮影時に比べて視認性の問題は生じにくい。また、近年は屋外では、太陽光の一部を反射させて利用する半透過型とか微反射タイプと呼ばれる液晶などがあり、これを利用して、しかるべき角度で見れば、表示内容を問題なく鑑賞することができる。
【００２９】
つまり、撮影時にはユーザーが被写体を正しく捉えられるように、被写体の特徴色を強調する表示を行い、再生時にはこれを行わないようにするのが適切である。撮影時は画像の色再現性よりも、被写体の位置を正しく捉えることの方が重要だからである。逆に再生時には上記説明したような色調強調を行って、いたずらに不必要な発光や色再現の補正を行う必要はなく、自然な再生とした方が良い。色強調補正を行うと、色が不自然になってしまうといった副作用の問題が生じるからである。また、消費エネルギーが多くなって電池消耗が激しくなり、撮影や再生の時間が短くなってしまうという問題も出るからである。
【００３０】
図５は、色強調補正を行う表示制御の手順を説明するフローチャートである。この表示制御処理は、プログラムに従ったＭＰＵ１０、画像処理部５、表示制御部１３、外光判定部１７、画像判定部１８により主に実行される。まず、カメラ１が撮影モードでスタートされたとする。カメラ１のモードが再生モードに切換えられたら（ステップＳ１１ＹＥＳ）、再生表示を行う（ステップＳ１２）。記録メディア８内に記録されているもののうち、選択された画像の再生表示を行う。上述したように、再生モードでは色強調補正を行わない。
【００３１】
再生モードへの切換がなければ（ステップＳ１１ＮＯ）、表示部１４にモニタ画像を表示する（ステップＳ１３）。この時、撮像素子３のすべての画素を表示することはできないので、表示部１４の画素数に合わせた画素数のデータを撮像素子３から読み出して表示する。あわせて、カメラ１の背面に設けられたフォトディテクタ部１６により外光を検出して、外光判定部１７が外光の量を判定する（ステップＳ１４）。外光が所定値以下であれば（ステップＳ１５ＮＯ）、次に、画像処理部５が入射光（被写体光）の輝度が大かを、モニタ画像の輝度から判断する。入射光の量も少なければ（ステップＳ１６ＮＯ）、モニタ画像表示時に色強調補正の必要がないのでステップ２２に進む。外光量が大（ステップＳ１５ＹＥＳ）、または入射光量が大であれば（ステップＳ１６ＹＥＳ）、色強調補正を行う。
【００３２】
まず、表示制御部１３がバックライト部１５の光量を増加させるよう制御する（ステップＳ１７）。ただし、表示部１４がＬＣＤの場合である。画像処理部５が、モニタ画像のコントラストを強調する処理を行う（ステップＳ１８）。そして、画像判定部１８が、画像処理部５から出力される画像データを利用して、撮像素子３で取得された画像を解析し、主被写体の色を判定する(ステップＳ１９）。そして、主被写体の色が赤や青の成分かを判別する(ステップＳ２０）。主被写体が赤または青の成分を主にする場合は(ステップＳ２０ＹＥＳ）、表示制御部１３が、その色が強調補正されるような制御を表示部１４に行う（ステップＳ２１）。前述の図３の例では、赤成分を強調補正させる。
【００３３】
つまり、表示制御部１３はＲＧＢの各色再現時のゲインを分けて制御するが、主被写体にＲ成分が強い場合には、自然の再現性とは異なるが、この色を強調して、ユーザーに赤の部分がどこにあるかを分かりやすく示すようにする。同様にＢの成分が強い場合にも、外光によって視認性が低下していると考えて、青を強調する制御を行う。
【００３４】
ここで、青や赤に限って補正する理由を説明する。可視の波長域の短波長である青や、長波長側である赤では、目視状態では特徴的でありながら、昼光下のモニタ上では上述のように特徴のない画像となりがちだからである。たとえば、赤い花が咲き乱れるシーンでは、昼光の影響によって、赤い部分と葉っぱの部分が識別不能になりがちであった。このようなシーンでユーザーは、目視との差異に悩み、主被写体を見失ってしまうこと多かった。
【００３５】
従って、このフローチャートでは強調色を赤と青に限定して説明するが、必ずしも赤や青に限る必要はない。ステップ２０を、緑やそれ以外の色であっても、主被写体の色に応じてこれを強調するように変形してもよい。また、赤の視認性を高めるために、赤を強調するだけでなく、他色である青や緑を低減させるような制御を併用してもよい。これにより、見かけ上赤の部分がより強調されることなる。
【００３６】
次に、ユーザーによるレリーズ操作による撮影指示を待つ（ステップＳ２２）。撮影指示がされると（ステップＳ２２ＹＥＳ）、撮像素子３からフル画素の読み出しを行なわせ、画像処理部５が所定の処理を行う。そして圧縮伸長部６がこの画像データを圧縮処理する（ステップＳ２３）。記録再生制御部７が、圧縮された画像データを記録メディア８に記録する（ステップＳ２４）。撮影指示がなければ（ステップＳ２２ＮＯ）、ステップＳ２５に進む。
【００３７】
また、電源オフ操作が行われたら（ステップＳ２５ＹＥＳ）、電源オフの処理を行い（ステップＳ２６）、終了する。電源オフ操作がなければ（ステップＳ２５ＮＯ）、ステップＳ１１に戻る。
【００３８】
以上のように、昼光下（強い外光下）の撮影時において、ユーザーがディスプレイ上の表示の色が分からなくなって主被写体を見失うことを防止できる。
【００３９】
広角の撮影なら簡単に被写体を画面内に捉えることができるが、前述のようにズーム操作を行って、狭い範囲の画像しか見られない場合には、捉えられる範囲が狭いので、どこに被写体がいるかを判定することが容易でなくなる。こうした状況下において、色情報が失われると、ユーザーは撮影時にストレスを感じて、撮影を楽しむことが出来なくなる。本発明によれば、主被写体の色が強調されて表示されるので、被写体認識がストレスなく確実にできるようになる。つまり、炎天下の過酷な状況下の撮影時にズーム操作などを行っても、被写体をしっかりフレーミングできる。
【００４０】
以上説明したように、本発明によれば、液晶などの表示パネルを利用して構図を決定するデジタルカメラにおいて、昼光下においても、色の再現性を良くし、正確なフレーミングで撮影が楽しめるカメラが提供可能となる。
【００４１】
なお上記各実施形態において、上記各実施形態で説明したＭＰＵ１０による処理に関しては、一部または全てをハードウェアで構成してもよい。逆に、外光判定部１７や画像判定部１８等のハードウェアをソフトウェアで構成しても良い。具体的な構成は設計事項である。
【００４２】
また、上記実施形態の各処理機能の一部または全部をＭＰＵ１０によりソフトウェア処理により実現させてもよい。そして、この場合には、ＭＰＵ１０の動作はＲＯＭ１１より供給されたプログラムに従って実現されるから、上記ソフトウェアのプログラム自体も本発明を構成する。また、そのプログラムを格納する記録媒体も本発明を構成する。記録媒体としては、フラッシュメモリ以外でも、ＣＤ−ＲＯＭ、ＤＶＤ等の光学記録媒体、ＭＤ等の磁気記録媒体、テープ媒体、ＩＣカード等の半導体メモリ等を用いることができる。また、各実施形態では本願発明をデジタルカメラに適用した例を説明したが、これに限らず例えば携帯電話のカメラ部に適用しても良い。
【００４３】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４４】
【図１】本実施形態に係るカメラ１の全体ブロック図。
【図２】屋外撮影時に、表示部に表示されるモニタ画像に対して、太陽光が与える影響を説明するための図。
【図３】画像や太陽光の波長分布を模式的に示すグラフ。
【図４】撮影姿勢の態様と再生姿勢の態様の違いを示す図。
【図５】色強調補正を行う表示制御の手順を説明するフローチャート。
【符号の説明】
【００４５】
1…カメラ、２…レンズ部、３…撮像素子、４…アナログフロントエンド部、５…画像処理部、５ａ…リサイズ、６…圧縮伸長部、６ａ…静止画圧縮伸長部、６ｂ…動画圧縮伸長部、７…記録再生制御部、８…記録メディア、１０…ＭＰＵ、１１…ＲＯＭ、１２…操作部、１２ａ…レリーズスイッチ、１２ｂ、１２ｃ…切換スイッチ、１３…表示制御部、１４…表示部、１５…バックライト、
１６…フォトディテクタ、１７…外光判定部、１８…画像判定部、１９…音声記録部、２０…ズーム制御部、２５…被写体、２５ａ…主被写体、２６…太陽、２６ａ、２６ｂ…外光、２７…撮影者
【図１】
2007324888.tif 000003
【図２】
2007324888.tif 000004
【図３】
2007324888.tif 000005
【図４】
2007324888.tif 000006
【図５】
2007324888.tif 000007